(57)【特許請求の範囲】
【請求項１】
サウンディング・リファレンス・シグナル（ＳＲＳ）の送信要求を含む制御情報、および、下りチャネル情報の報告要求を受信する受信部と、
前記報告要求に基づいて設定される送信電力で前記ＳＲＳを送信する送信部と、
を有し、
前記送信部は、
前記報告要求において複数の基地局との間の各下りチャネル情報の報告が要求される場合、前記ＳＲＳを第１の送信電力で送信し、前記報告要求において単一の基地局との間の下りチャネル情報の報告が要求される場合、前記ＳＲＳを第２の送信電力で送信し、
前記第１の送信電力は前記第２の送信電力よりも大きい、
端末装置。
【請求項２】
前記受信部は、複数のフォーマットのうちの一つで前記制御情報を受信し、
前記複数のフォーマットには、上りリンクの割当情報を含む第１のフォーマットと、下りリンクの割当情報を含む第２のフォーマットとが含まれ、
前記送信部は、前記報告要求において前記複数の基地局との間の各下りチャネル情報の報告が要求され、かつ、前記第２のフォーマットに前記送信要求が含まれる場合、前記ＳＲＳを前記第１の送信電力で送信する、
請求項１記載の端末装置。
【請求項３】
前記送信部は、前記報告要求において前記複数の基地局との間の各下りチャネル情報の報告が要求され、かつ、前記第２の送信電力の初期値を設定するためのパラメータが予め設定された閾値以下の場合、前記ＳＲＳを前記第１の送信電力で送信する、
請求項１記載の端末装置。
【請求項４】
前記受信部は、複数のフォーマットのうちの一つで前記制御情報を受信し、
前記複数のフォーマットには、上りリンクの割当情報を含む第１のフォーマットと、下りリンクの割当情報を含む第２のフォーマットとが含まれ、
前記ＳＲＳは、前記送信要求の受信から所定間隔以降の最初のＳＲＳ送信サブフレームで送信され、
前記送信部は、前記報告要求において前記複数の基地局との間の各下りチャネル情報の報告が要求され、前記第１のフォーマットに前記送信要求が含まれ、かつ、前記前記第１のフォーマットに含まれる上りリンクの割当情報に対応する上りデータの送信サブフレームが前記ＳＲＳ送信サブフレームと同一の場合、前記ＳＲＳを前記第１の送信電力で送信する、
請求項１記載の端末装置。
【請求項５】
前記送信部は、前記送信要求を受け取ったときに送信される前記ＳＲＳと、所定の周期で送信される他のＳＲＳとが同一のサブフレームで送信される場合、前記ＳＲＳを、前記他のＳＲＳ用のリソースおよび前記第１の送信電力で送信する、
請求項４記載の端末装置。
【請求項６】
前記受信部は、複数のフォーマットのうちの一つで前記制御情報を受信し、前記複数のフォーマットには、上りリンクの割当情報を含む第１のフォーマットと、下りリンクの割当情報を含む第２のフォーマットとが含まれ、
前記送信部は、前記報告要求において前記複数の基地局との間の各下りチャネル情報の報告が要求され、かつ、前記第１のフォーマットに、前記送信要求および前記報告要求のみが含まれる場合、前記ＳＲＳを前記第１の送信電力で送信する、
請求項１記載の端末装置。
【請求項７】
前記第１の送信電力は、前記第２の送信電力を所定値だけ増加させた電力である、
請求項１記載の端末装置。
【請求項８】
前記複数の基地局には、第１の基地局、および、前記第１の基地局のカバーエリア内に配置された複数の第２の基地局が含まれ、
前記第１の送信電力は、少なくとも、前記ＳＲＳを前記第１の基地局に送信するために設定された電力であり、
前記第２の送信電力は、前記ＳＲＳが、前記複数の第２の基地局のうち前記端末装置が属するセルをカバーする基地局に送信するために設定された電力である、
請求項１記載の端末装置。
【請求項９】
サウンディング・リファレンス・シグナル（ＳＲＳ）の送信要求を含む制御情報、および、下りチャネル情報の報告要求を端末装置へ送信する送信部と、
前記報告要求に基づいて設定される送信電力で送信された、前記ＳＲＳを受信する受信部と、
を有し、
前記報告要求において複数の基地局と前記端末装置との間の各下りチャネル情報の報告が要求される場合、前記ＳＲＳには第１の送信電力が設定され、前記報告要求において単一の基地局と前記端末装置との間の下りチャネル情報の報告が要求される場合、前記ＳＲＳには第２の送信電力が設定され、
前記第１の送信電力は前記第２の送信電力よりも大きい、
基地局装置。
【請求項１０】
サウンディング・リファレンス・シグナル（ＳＲＳ）の送信要求、および、下りチャネル情報の報告要求を含む制御情報を受信し、
前記報告要求において複数の基地局との間の各下りチャネル情報の報告が要求される場合、前記ＳＲＳを第１の送信電力で送信し、前記報告要求において単一の基地局との間の下りチャネル情報の報告が要求される場合、前記ＳＲＳを第２の送信電力で送信し、
前記第１の送信電力は前記第２の送信電力よりも大きい、
送信方法。
【請求項１１】
サウンディング・リファレンス・シグナル（ＳＲＳ）の送信要求を含む制御情報、および、下りチャネル情報の報告要求を端末装置へ送信し、
送信した前記報告要求に基づいて設定される送信電力で送信された、前記ＳＲＳを受信し、
前記報告要求において複数の基地局と前記端末装置との間の各下りチャネル情報の報告が要求される場合、前記ＳＲＳには第１の送信電力が設定され、前記報告要求において単一の基地局と前記端末装置との間の下りチャネル情報の報告が要求される場合、前記ＳＲＳには第２の送信電力が設定され、
前記第１の送信電力は前記第２の送信電力よりも大きい、
送信電力設定方法。
【発明の詳細な説明】
【技術分野】
【０００１】
本発明は、端末装置、基地局装置、送信方法および送信電力設定方法に関する。
【背景技術】
【０００２】
３ＧＰＰ−ＬＴＥ(3rd Generation Partnership Project Radio Access Network Long Term Evolution、以下、ＬＴＥという)では、下りリンクの通信方式としてＯＦＤＭＡ（Orthogonal Frequency Division Multiple Access）が採用され、上りリンクの通信方式としてＳＣ−ＦＤＭＡ（Single Carrier Frequency Division Multiple Access）が採用されている。また、ＬＴＥの上りリンクでは、上り受信品質を測定するための参照信号（リファレンス信号）として、Periodic Sounding Reference signal(P-SRS)が用いられる。【０００３】
ＬＴＥでは、全端末共通のSRS送信サブフレーム（以下、「共通SRSサブフレーム」と呼ぶ）が設定される。この共通SRSサブフレームは、セル単位で、所定の周期及びサブフレームオフセットの組合せによって定義される。また、共通SRSサブフレームに関する情報は、セル内の端末に報知される。例えば、周期が10サブフレームでオフセットが3であれば、フレーム(10サブフレームから構成される)内の3サブフレーム目が共通SRSサブフレームに設定される。共通SRSサブフレームでは、セル内の全端末が、そのサブフレームの最後のSC-FDMAシンボルにおいて、データ信号の送信を取り止めるとともに、その期間をSRS（リファレンス信号）の送信リソースとして用いる。【０００４】
また、各端末に対して個別にSRS送信サブフレームが上位レイヤ(物理レイヤより上位のRRCレイヤ)により設定される（以下、個別SRSサブフレームと呼ぶ）。端末は設定された個別SRSサブフレームにおいてP-SRSを送信する。また、各端末に対して、SRSリソースに関するパラメータ（以下、「SRSリソースパラメータ」と呼ばれることがある）が、設定及び通知される。このSRSリソースに関するパラメータには、SRSの帯域幅、帯域位置（またはSRS帯域開始位置）、Cyclic Shift、Comb（サブキャリアグループの識別情報に相当）などが含まれる。そして、端末は、その通知されたパラメータに従ったリソースを用いてSRSを送信する。また、SRSの周波数ホッピングが設定される場合もある。【０００５】
また、ＬＴＥの上りリンクでは、１本のアンテナポートを備える端末のみがサポートされている。例えば、第ｉサブフレーム（sub-frame）におけるＳＲＳの送信電力PSRS(i)は、非特許文献１に記載のように、次式（１）に従って求められる。
【数１】
0005841148.tif 000002
【０００６】
式（１）において、PCMAX［ｄＢｍ］は端末の最大送信電力を示し、PSRS_OFFSET［ｄＢｍ］は端末が送信するＰＵＳＣＨの送信電力に対するオフセット値（基地局から設定されるパラメータ）を示し、MSRSはP-SRSに割り当てられる周波数リソースブロック数を示し、PO_PUSCH［ｄＢｍ］はPUSCHの送信電力の初期値（基地局から設定されるパラメータ）を示し、ＰＬは端末が測定したパスロスレベル［ｄＢ］を示し、αはパスロス（ＰＬ）の補償割合を表す重み係数（基地局から設定されるパラメータ）を示し、f(i)はクローズドループ制御（閉ループ制御）されるＴＰＣ（Transmission Power Control）コマンド（制御値。例えば、+3dB,+1dB,0dB,-1dB）の過去の値を含めた第ｉサブフレームにおける累計値を示す。【０００７】
同様に、第ｉサブフレームにおける上り制御チャネル（PUCCH）および上りデータ信号（PUSCH）に対する送信電力PPUCCH(i)およびPPUSCH(i)は、次式（２）、（３）に従ってそれぞれ求められる。
【数２】
0005841148.tif 000003
【数３】
0005841148.tif 000004
【０００８】
式（２）において、PO_PUCCH［ｄＢｍ］はPUCCHの送信電力の初期値（基地局から設定されるパラメータ）を示し、h(nCQI,nHARQ)およびΔF_PUCCH(F)はPUCCHのフォーマット種別、ビット数等に応じて設定されるパラメータを示し、g(i)は、式（１）のf(i)と同様に、閉ループ制御されるＴＰＣコマンドの過去の値を含めた第ｉサブフレームにおける累計値を示す。また、式（３）において、MPUSCH(i)は、第ｉサブフレームにおいて割り当てられたPUSCHの周波数リソースブロック数を示し、PO_PUSCH(j)［ｄＢｍ］およびα(j)は、PUSCHの送信電力の初期値、および、パスロス（ＰＬ）の補償割合を表す重み係数をそれぞれ示し、準固定割当（ｊ＝０）および動的割当（ｊ＝１）の種別に応じて個別に基地局から設定されるパラメータである。ΔTF(ｉ)はPUSCHで制御情報を送信する場合に、制御情報量に応じて設定可能なオフセット値を示す。【０００９】
また、ＬＴＥをさらに進めたLTE-Advanced（以下、「LTE-A」という）の上りリンクでは、ＬＴＥから導入されているP-SRSに加え、Aperiodic SRS(以下、A-SRSと呼ぶ)が用いられる。このA-SRSの送信タイミングは、トリガ情報（例えば、１ビットの情報）によって制御される。このトリガ情報は、基地局から端末へ物理層の制御チャネル（つまり、PDCCH）によって送信される(例えば、非特許文献２)。すなわち、端末は、トリガ情報（つまり、A-SRSの送信要求）によりA-SRS送信を要求された場合にのみ、A-SRSを送信する。そして、A-SRSの送信タイミングを、トリガ情報が送信されたサブフレームから4サブフレーム後の最初の共通SRSサブフレームとすることが検討されている。ここで、上述の通り、P-SRSは、周期的（periodic）に送信される一方、A-SRSは、例えば、バースト的に上りリンクの送信データが発生したときのみに短期間に集中して、端末に送信させることができる（例えば、図１参照）。【００１０】
また、LTE-Aにおいては、様々なデータ割当通知のための制御情報フォーマットが存在する。制御情報フォーマットには、下りリンクにおいて、連続する番号のリソースブロック（Virtual RBまたはPhysical RB）を割り当てるDCI format 1A、連続しない番号のＲＢの割り当て（以下、「非連続帯域割当」という）が可能なDCI format 1、空間多重ＭＩＭＯ送信を割り当てるDCI format 2、2A、2Bおよび2C、ビームフォーミング送信を割り当てる下り割当制御情報のフォーマット（「ビームフォーミング割当下りフォーマット」：DCI format 1B）、マルチユーザＭＩＭＯ送信を割り当てる下り割当制御情報のフォーマット（「マルチユーザＭＩＭＯ割当下りフォーマット」：DCI format 1D）等がある。上りリンク割当向けのフォーマットとしては、シングルアンテナポート送信を割り当てるDCI format 0及び上り空間多重ＭＩＭＯ送信を割り当てるDCI format 4がある。DCI format 4は上り空間多重ＭＩＭＯ送信が設定された端末のみに使用される。【００１１】
また、DCI format 0とDCI format 1Aとは、Paddingによって、同一のビット数を取るようにビット数が調整される。DCI format 0およびDCI format 1Aは、DCI format 0/1Aと呼ばれることもある。ここで、DCI format 1,2,2A,2B,2C,1B,1Dは、端末毎に設定される下り送信モード（非連続帯域割当、空間多重ＭＩＭＯ送信、ビームフォーミング送信、マルチユーザＭＩＭＯ送信）に依存して使用されるフォーマットであり、端末毎に設定されるフォーマットである。一方、DCI format 0/1Aは、送信モードに依存せず、いずれの送信モードの端末に対しても使用できるフォーマット、つまり、全端末に対して共通に使用されるフォーマットである。また、DCI format 0/1Aが用いられた場合には、デフォルトの送信モードとして１アンテナ送信または送信ダイバーシチが用いられる。【００１２】
端末は、DCI format 0/1Aと、下りリンク送信モードに依存するDCI formatと、を受信する。また、上り空間多重ＭＩＭＯ送信が設定された端末は、それらに加えて、DCI format 4を受信する。【００１３】
ここで、A-SRSのトリガ情報の通知に、上りリンクのデータ（PUSCH）割当通知に用いられる制御情報フォーマットであるDCI format 0を用いることが検討されている。DCI format 0には、RB通知フィールド、MCS通知フィールド、HARQ情報通知フィールド、送信電力制御コマンド通知フィールド、端末IDフィールドなどの他に、A-SRSトリガ通知のためのフィールドも追加される。なお、A-SRSとP-SRSとは、両方を併用することもできるし、どちらかのみを使うこともできる。また、SRSリソースに関するパラメータ（送信帯域幅、cyclic shiftなど）は、A-SRSとP-SRSとで独立に設定される。【００１４】
また、カバーエリアの大きさが異なる複数の基地局を用いたヘテロジーニアスネットワーク（Heterogeneous Network）がある。ヘテロジーニアスネットワークは、大きなカバーエリアをカバーするマクロ基地局（「マクロセル」又は「Macro eNB」と呼ばれることもある）と、小さなカバーエリアをカバーするピコ基地局（「ピコセル」又は「LPN（Low Power Node）」と呼ばれることもある）とを併用するネットワークである。ヘテロジーニアスネットワークにおいて、マクロセルのカバーエリア内に配置されたピコセルに対して、マクロセルと同一の識別番号（セルID）を付与することで、物理層の信号を用いて移動制御（ハンドオーバ）を簡易に実現する方法が検討されている。このようなヘテロジーニアスネットワークの運用に向けて、端末との間の伝搬状況に応じて、複数のセルの中から最適な送受信ポイントを選択する方法が検討されている（例えば、図２及び非特許文献３参照）。送受信ポイント選択の指標として候補になり得る信号には、端末から基地局向けの上りリンクのチャネル品質測定用参照信号（例えば、P-SRS及びA-SRS）がある。
【先行技術文献】
【非特許文献】
【００１５】
【非特許文献１】3GPP TS36.213V8.8.0 (Section 5.1), “3GPP TSGRAN E-UTRA Physical layer procedures (Release8)”, Sep. 2009
【非特許文献２】3GPP TSG RAN WG1 meeting, R1-105439, “Views on Signaling for Dynamic Aperiodic SRS”, October 2010
【非特許文献３】3GPP TSG RAN WG1 meeting, R1-111469, Samsung, “Discussions on CSI-RS port selection for non-uniform networks with low-power nodes”, May 2011
【発明の概要】
【発明が解決しようとする課題】
【００１６】
上述した物理層での移動制御と上り信号の送信電力制御とを単純に組み合わせた場合、以下の課題が発生する。【００１７】
物理層での移動制御を想定したヘテロジーニアスネットワークでは、同一のセルＩＤを用いて、マクロセルに所属するマクロ端末（Macro UE）と、ピコセルに所属するピコ端末（LPN UE）とを収容する必要がある。このため、マクロ端末およびピコ端末のリソースを主に周波数領域のリソースで使い分ける（直交させる）ことで、距離減衰が大きく送信電力の大きくなりやすいマクロ端末と、距離減衰が小さく送信電力を小さくできるピコ端末とを、互いに干渉することなく収容できる（図３参照）。例えば、図３では、Macro UEとLPN UEとで周波数領域のリソースを使い分け、複数のLPN UE（LPN1およびLPN2に所属する端末）間で周波数領域のリソースを使い回している。【００１８】
このとき、ピコ端末（LPN UE）の送信電力を小さくすることで、異なるピコセルに所属するピコ端末間では上り信号が互いに干渉しにくくなる。これにより、複数のピコセル間で周波数領域のリソースを再利用することが可能となる(図３参照)。すなわち、上述した上り信号の送信電力制御により、上り信号の送信電力がピコセル向けに制御されるので、ピコ端末が所属しているピコセルのみに当該ピコ端末からの上り信号が届く状態になる。【００１９】
一方、ここでは、物理層での移動制御を想定しているため、或るピコセルに所属するピコ端末に対する、他のピコセルまたはマクロセルで得られる回線品質が分からなくなり、最適な送受信ポイントの選択が実現できなくなる課題がある。【００２０】
この課題を送信電力制御の観点から具体的に説明する。【００２１】
例えば、図３に示すピコセル（LPN1）に所属する端末が、LPN1のカバーエリアの外に移動する場合について説明する。この場合、送受信ポイントの切替により、当該端末は、マクロセル（Macro eNB）に所属されることが望ましい。【００２２】
図３に示すLPN1の境界に存在する端末は、所属しているLPN1向けに小さな送信電力で上り信号を送信する。しかしながら、図３に示すLPN1に所属する端末が送信する上り信号の送信電力では、当該上り信号がマクロ基地局（Macro eNB）まで届かない可能性がある。この状況では、マクロセル(Macro eNB)又は他のピコセル(LPN2)は、LPN1に所属する端末が送信するＳＲＳの受信品質を十分に得られないことになり得る。このため、マクロセル(Macro eNB)は、LPN1に所属する端末の通信状況（すなわち、LPN1に所属する端末と、LPN1以外の各セル（送受信ポイント）との間の各受信品質）を把握できず、LPN1に所属する端末の送受信ポイントを切り替えることができない。【００２３】
また、上り信号に対してとり得るTPCコマンドの制御値は、(+3dB, +1dB, 0dB, -1dB)である。つまり、TPCコマンドにより、上り信号の送信電力に対して狭い幅でのみ制御可能である。このため、図３に示すLPN1に所属する端末の送信電力を増加して、マクロセル又は他のピコセル（LPN2）でのＳＲＳの受信品質を確保するためには、クローズループ制御を何度も繰り返す必要がある。クローズループ制御を繰り返す間、該当の端末が使用するリソースはLPN1に対応するリソースのままである。一方で、端末は、LPN1のカバーエリア外に移動し、LPN2に近づく状況になる。この状況で端末がＳＲＳ又は上りデータ信号(PUSCH)を送信すると、当該端末が使用するリソースと同一のリソースを空間的に再利用しているLPN2に対して干渉を及ぼすことになる。すなわち、クローズループ制御を繰り返す間（時間領域において）、端末が所属しているLPN以外の他のLPNに対して干渉を与え続けることになる。【００２４】
さらに、図３において、送受信ポイントの切替が行われないままLPN1に所属する端末がLPN1のカバーエリアの外に移動すると、LPN1と端末との距離が離れることで、端末からの上り信号の品質劣化が大きくなる。このため、端末では上り信号の再送が繰り返されるので、再送の分だけ、端末が使用するリソースと同一のリソースを空間的に再利用しているLPN2に干渉を与え続けることになる。【００２５】
このように、移動制御において送受信ポイントの切替が遅延すると、LPN間で再利用しているＳＲＳ又はPUSCHのリソースで干渉が生じてしまう。【００２６】
本発明の目的は、送受信ポイントの切替の遅延を抑え、確実に送受信ポイントを切り替えることができる端末装置、基地局装置、送信方法および送信電力設定方法を提供することを目的とする。
【課題を解決するための手段】
【００２７】
本発明の一態様の端末装置は、サウンディング・リファレンス・シグナル（ＳＲＳ）の送信要求を含む制御情報、および、下りチャネル情報の報告要求を受信する受信部と、前記報告要求に基づいて設定される送信電力で前記ＳＲＳを送信する送信部と、を有し、前記送信部は、前記報告要求において複数の基地局との間の各下りチャネル情報の報告が要求される場合、前記ＳＲＳを第１の送信電力で送信し、前記報告要求において単一の基地局との間の下りチャネル情報の報告が要求される場合、前記ＳＲＳを第２の送信電力で送信し、前記第１の送信電力は前記第２の送信電力よりも大きい。【００２８】
本発明の一態様の基地局装置は、サウンディング・リファレンス・シグナル（ＳＲＳ）の送信要求を含む制御情報、および、下りチャネル情報の報告要求を端末装置へ送信する送信部と、前記報告要求に基づいて設定される送信電力で送信された、前記ＳＲＳを受信する受信部と、を有し、前記報告要求において複数の基地局と前記端末装置との間の各下りチャネル情報の報告が要求される場合、前記ＳＲＳには第１の送信電力が設定され、前記報告要求において単一の基地局と前記端末装置との間の下りチャネル情報の報告が要求される場合、前記ＳＲＳには第２の送信電力が設定され、前記第１の送信電力は前記第２の送信電力よりも大きい。【００２９】
本発明の一態様の送信方法は、サウンディング・リファレンス・シグナル（ＳＲＳ）の送信要求、および、下りチャネル情報の報告要求を含む制御情報を受信し、前記報告要求において複数の基地局との間の各下りチャネル情報の報告が要求される場合、前記ＳＲＳを第１の送信電力で送信し、前記報告要求において単一の基地局との間の下りチャネル情報の報告が要求される場合、前記ＳＲＳを第２の送信電力で送信し、前記第１の送信電力は前記第２の送信電力よりも大きい。【００３０】
本発明の一態様の送信電力設定方法は、サウンディング・リファレンス・シグナル（ＳＲＳ）の送信要求を含む制御情報、および、下りチャネル情報の報告要求を端末装置へ送信し、送信した前記報告要求に基づいて設定される送信電力で送信された、前記ＳＲＳを受信し、前記報告要求において複数の基地局と前記端末装置との間の各下りチャネル情報の報告が要求される場合、前記ＳＲＳには第１の送信電力が設定され、前記報告要求において単一の基地局と前記端末装置との間の下りチャネル情報の報告が要求される場合、前記ＳＲＳには第２の送信電力が設定され、前記第１の送信電力は前記第２の送信電力よりも大きい。
【発明の効果】
【００３１】
本発明によれば、送受信ポイントの切替の遅延を抑え、確実に送受信ポイントを切り替えることができる。
【図面の簡単な説明】
【００３２】
【図１】A-SRSの送信タイミングの説明に供する図
【図２】ヘテロジーニアスネットワークにおける移動制御の説明に供する図
【図３】移動制御および送信電力制御における課題の説明に供する図
【図４】本発明の実施の形態１に係る基地局の主要構成図
【図５】本発明の実施の形態１に係る端末の主要構成図
【図６】本発明の実施の形態１に係る基地局の構成を示すブロック図
【図７】本発明の実施の形態１に係る端末の構成を示すブロック図
【図８】本発明の実施の形態４に係る送信電力制御の処理を示す図
【図９】本発明の実施の形態４に係るその他の送信電力制御の処理を示す図
【図１０】本発明の実施の形態５に係る送信電力制御の処理を示す図
【発明を実施するための形態】
【００３３】
以下、本発明の実施の形態について図面を参照して詳細に説明する。なお、実施の形態において、同一の構成要素には同一の符号を付し、その説明は重複するので省略する。
【００３４】
［実施の形態１］
［通信システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００３５】
図４は、本発明の実施の形態１に係る基地局１００の主要構成図である。基地局１００において、送信処理部１０４が、サウンディング・リファレンス・シグナル（A-SRS）の送信要求を含む制御情報、および、下りチャネル情報（下りCSI）の報告要求を端末２００へ送信し、受信処理部１０８が、報告要求に基づいて設定される送信電力で送信された、A-SRSを受信する。また、設定部１０１によって報告要求において複数の基地局（セル）と端末２００との間の各下りチャネル情報の報告が要求される場合、A-SRSには第１の送信電力が設定される。また、設定部１０１によって報告要求において単一の基地局（セル）と端末２００との間の下りチャネル情報の報告が要求される場合、A-SRSには第２の送信電力が設定される。ただし、第１の送信電力は第２の送信電力よりも大きい。
【００３６】
図５は、本発明の実施の形態１に係る端末２００の主要構成図である。端末２００は、送受信ポイントを複数のセル間で切り替えて通信可能な端末である。端末２００において、受信処理部２０３が、サウンディング・リファレンス・シグナル（A-SRS）の送信要求を含む制御情報、および、下りチャネル情報（下りCSI）の報告要求を受信し、送信信号形成部２０７が、受信処理部２０３で受信された報告要求に基づいて設定される送信電力でA-SRSを送信する。ここで、送信信号形成部２０７は、報告要求において複数の基地局（セル）との間の各下りチャネル情報の報告が要求される場合、A-SRSを第１の送信電力で送信し、報告要求において単一の基地局（セル）との間の下りチャネル情報の報告が要求される場合、A-SRSを第２の送信電力で送信する。ただし、第１の送信電力は第２の送信電力よりも大きい。
【００３７】
また、以下では、上りリンクと下りリンクとが周波数分割されるＦＤＤシステムを前提として説明する。
【００３８】
また、以下では、単一の基地局１００によって、マクロセルとピコセルとを形成する構成について説明する。しかし、これに限らず、複数の基地局１００によりマクロセル、ピコセルをそれぞれ形成し、適切に信号を共有することにより両者を連携して動作させる構成でもよい。
【００３９】
［基地局１００の構成］
図６は、本発明の実施の形態１に係る基地局１００の構成を示すブロック図である。図６において、基地局１００は、設定部１０１と、符号化・変調部１０２、１０３と、送信処理部１０４と、送信ＲＦ部１０５−１、１０５−２と、アンテナ１０６−１、１０６−２と、受信ＲＦ部１０７−１、１０７−２と、受信処理部１０８と、データ受信部１０９と、ＳＲＳ受信部１１０とを有する。
【００４０】
設定部１０１は、設定対象端末２００に対して、A-SRSの送信要求に用いる制御情報フォーマット（DCI format）と、その設定対象端末２００がA-SRS送信に用いるリソース（A-SRSリソース）との対応関係を設定(configure)するための「A-SRS送信ルール設定情報」を生成する。A-SRS送信ルール設定情報には、複数の制御情報フォーマット(DCI format)の識別情報と、各制御情報フォーマットの識別情報に対応するA-SRSリソースに関する情報とが含まれている。このA-SRSリソースは、上述の通り、設定対象端末２００がA-SRSをマッピングするリソースである。A-SRSリソースに関する情報には、設定対象端末２００がA-SRSを送信する周波数帯域（またはSRS帯域の開始RB位置）、帯域幅（またはRB数）、Cyclic shift、送信Comb、アンテナ数、送信回数、周波数ホッピング、Component Carrierなどのパラメータが含まれる。すなわち、複数の制御情報フォーマット(DCI format)の識別情報と、各制御情報フォーマットの識別情報に対応する上記パラメータの組合せとが、A-SRS送信ルール設定情報によって設定対象端末２００に対して設定される。
【００４１】
また、設定部１０１は、指示対象端末２００に対して、A-SRSの送信を指示（要求）するトリガ情報（以下、単に「トリガ情報」と呼ばれる）を含む、上り割当制御情報又は下り割当制御情報を生成する。
【００４２】
以上のように設定部１０１によって生成されたA-SRS送信ルール設定情報は、RRCレイヤの制御情報として、符号化・変調部１０２、送信処理部１０４、及び送信ＲＦ部１０５において送信処理がなされた後に、設定対象端末２００へ送信される。また、A-SRS送信のトリガ情報を含む制御情報は、レイヤ１，２の制御情報として、符号化・変調部１０２、送信処理部１０４、及び送信ＲＦ部１０５において送信処理がなされた後に、設定対象端末２００へ送信される。ここでは、トリガ情報は、１ビットで表され、ビット０であればA-SRS送信指示を示し、ビット１であればA-SRS送信なしの指示を示す。
【００４３】
ここで、設定部１０１は、トリガ情報を含む制御情報として、リソース（ＲＢ）割当情報、及び、１つまたは複数のトランスポートブロック（ＴＢ）に対するＭＣＳ情報を含む、割当制御情報を生成する。割当制御情報には、上りリンクデータを割り当てる上りリソース（例えば、ＰＵＳＣＨ（Physical Uplink Shared Channel））に関する割当制御情報、下りリンクデータを割り当てる下りリソース（例えば、ＰＤＳＣＨ（Physical Downlink Shared Channel））に関する割当制御情報がある。上りリンクデータを割り当てる割当制御情報としてDCI format 0,4、下りリンクデータを割り当てる割当制御情報としてDCI
format 1A,1,1B,1D,2,2A,2B,2Cなどがある。
【００４４】
設定部１０１は、A-SRS送信ルール設定情報を符号化・変調部１０２を介して設定対象端末２００へ送信すると共に、受信処理部１０８へ出力する。また、設定部１０１は、トリガ情報を含む割当制御情報を符号化・変調部１０２を介して設定対象端末２００へ送信すると共に、送信処理部１０４へ出力する。また、設定部１０１は、トリガ情報を含めた割当制御情報のフォーマット（ＤＣＩフォーマット）を示す情報を受信処理部１０８へ出力する。
【００４５】
ここで、設定情報は、上位レイヤ情報として（つまり、RRCシグナリングによって）、基地局１００から端末２００へ通知される。一方、割当制御情報及びトリガ情報は、PDCCH（Physical Downlink Control Channel）によって、基地局１００から端末２００へ通知される。すなわち、設定情報は通知間隔が比較的長い（つまり、比較的長い間隔を空けて通知される）のに対して、割当制御情報及びトリガ情報は、通知間隔が短い（つまり、短い間隔で通知される）。
【００４６】
また設定部１０１は、前述のヘテロジーニアスネットワークにおける物理層での移動制御の対象端末２００に対して、下りリンクのチャネル情報の報告(以降、下りCSI報告と記載。または下りCSI feedbackと呼ぶこともある)を、複数の送受信ポイント（複数のセル）と端末との間の各下りリンクのチャネルに対し測定し報告するように通知する。この通知（つまり下りCSIの報告要求）は、例えば上位レイヤ情報として通知される。または、設定部１０１は、下りCSIの報告の指示（要求）を含む、上り割当制御情報又は下り割当制御情報を生成してもよい。また、下りCSI報告は、ＳＲＳと同様、周期的なタイミング、または、トリガ情報に基づいた任意のタイミングで実施することができる。なお、下りCSI報告の要求として、複数のセルと端末２００との間の各下りCSIの報告が要求される場合（つまり、物理層で移動制御を行う場合）と、単一のセルと端末２００との間の下りCSIの報告が要求される場合（物理層で移動制御を行わない場合）とがある。
【００４７】
符号化・変調部１０２は、設定部１０１から受け取る設定情報、トリガ情報及び割当制御情報を符号化及び変調し、得られた変調信号を送信処理部１０４へ出力する。
【００４８】
符号化・変調部１０３は、入力される送信データ（データ信号）を符号化及び変調し、得られた変調信号を送信処理部１０４へ出力する。
【００４９】
送信処理部１０４は、符号化・変調部１０２及び符号化・変調部１０３から受け取る変調信号を、設定部１０１から受け取る下りリソース割当情報の示すリソースにマッピングすることにより、送信信号を形成する。ここで、送信信号がＯＦＤＭ信号である場合には、変調信号を、設定部１０１から受け取る下りリソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００５０】
送信ＲＦ部１０５−１または１０５−２は、送信処理部１０４から受け取る送信信号に対して送信無線処理（アップコンバート、ディジタルアナログ（Ｄ／Ａ）変換など）を施し、アンテナ１０６−１または１０６−２を介して送信する。
【００５１】
受信ＲＦ部１０７−１および１０７−２は、アンテナ１０６−１または１０６−２を介して受信した無線信号に対して受信無線処理（ダウンコンバート、アナログディジタル（Ａ／Ｄ）変換など）を施し、得られた受信信号を受信処理部１０８へ出力する。なお、図６において複数設けた送受信部およびアンテナについて、例えば、送信ＲＦ部１０５−１、受信ＲＦ部１０７−１およびアンテナ１０６−１をマクロセルの形成に用い、送信ＲＦ部１０５−２、受信ＲＦ部１０７−２およびアンテナ１０６−２をピコセルの形成に用いるといった運用も可能である。
【００５２】
受信処理部１０８は、設定部１０１から受け取る上りリソース割当情報に基づいて上りデータ信号及びＡＣＫ／ＮＡＣＫ情報がマッピングされているリソースを特定し、受信信号から、特定されたリソースにマッピングされている信号成分を抽出する。この際、受信処理部１０８は、上りリソース割当情報に含まれるTPC制御値に従って、式（３）のf(i)、ひいてはPPUSCH(i)が設定されたものとして、上りデータ信号の同期検波および復調を行う。
【００５３】
また、受信処理部１０８は、設定部１０１から受け取るA-SRS送信ルール設定情報、A-SRSのトリガ情報、及びA-SRS送信指示に用いたＤＣＩフォーマットの情報に基づいて、A-SRSがマッピングされているリソースを特定し、受信信号から、特定されたリソースにマッピングされている信号成分を抽出する。具体的には、受信処理部１０８は、トリガ情報が送信されたサブフレームから４サブフレーム以降で最初の共通SRSサブフレームにおいて、上記特定されたリソースでA-SRSを受信する。
【００５４】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００５５】
こうして受信処理部１０８によって抽出された上りデータ信号及びＡＣＫ／ＮＡＣＫ情報は、データ受信部１０９へ出力され、A-SRSは、ＳＲＳ受信部１１０へ出力される。
【００５６】
データ受信部１０９は、受信処理部１０８から受け取る信号を復号する。これにより、上りリンクデータ及びＡＣＫ／ＮＡＣＫ情報が得られる。
【００５７】
ＳＲＳ受信部１１０は、受信処理部１０８から受け取るA-SRSに基づいて、各周波数リソースの受信品質を測定し、受信品質情報を出力する。ここで、異なる端末２００から送信される複数のA-SRSが直交系列などによって符号多重される場合には、ＳＲＳ受信部１１０は、符号多重された複数のA-SRSの分離処理も行う。
【００５８】
［端末２００の構成］
図７は、本発明の実施の形態１に係る端末２００の構成を示すブロック図である。ここでは、端末２００は、ＬＴＥ−Ａ端末である。
【００５９】
図７において、端末２００は、アンテナ２０１と、受信ＲＦ部２０２と、受信処理部２０３と、リファレンス信号生成部２０４と、データ信号生成部２０５と、送信制御部２０６と、送信信号形成部２０７と、送信ＲＦ部２０８とを有する。
【００６０】
受信ＲＦ部２０２は、アンテナ２０１を介して受信した無線信号に対して受信無線処理（ダウンコンバート、アナログディジタル（Ａ／Ｄ）変換など）を施し、得られた受信信号を受信処理部２０３へ出力する。
【００６１】
受信処理部２０３は、受信信号に含まれる設定情報、割当制御情報、トリガ情報、及びデータ信号を抽出する。受信処理部２０３は、設定情報、割当制御情報、及びトリガ情報を送信制御部２０６へ出力する。また、受信処理部２０３は、トリガ情報が含まれていたＤＣＩのフォーマット識別情報を送信制御部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。
【００６２】
リファレンス信号生成部２０４は、送信制御部２０６から生成指示を受け取ると、リファレンス信号（A-SRS）を生成し、送信信号形成部２０７へ出力する。
【００６３】
データ信号生成部２０５は、ＡＣＫ／ＮＡＣＫ情報及び送信データを入力とし、送信制御部２０６から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つのコードワードでデータ信号が生成される。なお、受信信号がＯＦＤＭ信号の場合には、データ信号生成部２０５は、ＣＰ除去処理、ＦＦＴ処理も行う。
【００６４】
送信制御部２０６は、自端末がA-SRSをマッピングする「SRSマッピングリソース」を設定する。具体的には、送信制御部２０６は、受信処理部２０３から受け取る設定情報（A-SRS送信ルール設定情報）と、トリガ情報が含まれていたＤＣＩのフォーマット識別情報とに基づいて、SRSマッピングリソースを特定する。
【００６５】
また、送信制御部２０６は、A-SRSの送信サブフレームとして、トリガ情報を含む割当制御情報が送信されたサブフレームから４サブフレーム後の最初の共通SRSサブフレームを設定する。また、送信制御部２０６は、トリガ情報を受け取ると、リファレンス信号生成部２０４へA−SRS生成指示を出力すると共に、上記特定したSRSマッピングリソースに関する情報を送信信号形成部２０７へ出力する。
【００６６】
また、送信制御部２０６は、A-SRSのトリガ情報を受信した場合、下りCSIの報告要求に基づいて、A-SRSの送信電力を決定する。A-SRSに対する送信電力の決定方法の詳細については後述する。なお、端末２００は、下りCSIの報告要求に従って、下りCSIを基地局１００へ報告する（図示せず）。
【００６７】
また、送信制御部２０６は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０７へ出力すると共に、割当制御情報に含まれるＭＣＳ情報をデータ信号生成部２０５へ出力する。
【００６８】
送信信号形成部２０７は、リファレンス信号生成部２０４から受け取るA-SRSをSRSマッピングリソースにマッピングする。また、送信信号形成部２０７は、データ信号生成部２０５から受け取るデータ信号をデータマッピングリソース情報の示すデータマッピングリソースにマッピングする。こうして送信信号が形成される。なお、Non-MIMO送信の場合には、１コードワードのデータ信号が１レイヤに割り当てられ、MIMO送信の場合には、２コードワードのデータ信号が複数のレイヤに割り当てられる。また、送信信号がＯＦＤＭ信号の場合には、送信信号形成部２０７は、データ信号をＤＦＴ（Discrete Fourier transform）処理した後に、データマッピングリソースにマッピングする。また、形成された送信信号に対してＣＰが付加される。さらに、送信信号形成部２０７は、ＣＰが付加された送信信号のうち、データ信号に対しては式（３）に従って送信電力制御を適用する。また、送信信号形成部２０７は、SRSに対しては、送信制御部２０６で決定された送信電力制御方法を適用して、送信電力制御後の送信信号を送信ＲＦ部２０８に出力する。
【００６９】
送信ＲＦ部２０８は、送信信号形成部２０７で形成された送信信号に対して送信無線処理（アップコンバート、ディジタルアナログ（Ｄ／Ａ）変換など）を施してアンテナ２０１を介して送信する。
【００７０】
［基地局１００及び端末２００の動作］
以上の構成を有する基地局１００及び端末２００の動作について説明する。ここでは、基地局１００が、上りリソース割当制御情報のフォーマットとしてDCI format 0を用いる一方、下りリソース割当制御情報のフォーマットとしてDCI format 1Aを用いる場合について説明する。
【００７１】
基地局１００において、設定部１０１は、設定対象端末２００に対して、A-SRS送信ルール設定情報を設定する。A-SRS送信ルール設定情報では、複数の制御情報フォーマット(DCI format)の識別情報と、各制御情報フォーマットの識別情報に対応するA-SRSリソースに関する情報とが対応づけられている。ここでは、複数の制御情報フォーマットとしてDCI format 0及びDCI format 1Aを想定しているので、A-SRS送信ルールは、例えば、DCI format 0に対応付けられている第１のＳＲＳリースと、DCI format 1Aに対応付けられている第２のＳＲＳリソースとでは、リソースを特定するパラメータ群の内、cyclic shiftのみが異なっている。具体的には、第１のＳＲＳリースを規定するSRS resource configuration 1ではcyclic shift 0が設定されているのに対して、第２のＳＲＳリースを規定するSRS resource configuration 2ではcyclic shift 6が設定されている。なお、ここでは、第１のＳＲＳリースと第２のＳＲＳリースとで、cyclic shiftを異ならせているが、これに限定されるものではなく、例えば、Comb番号のみを異ならせても良いし、Cyclic shift及びCombの両方を異ならせても良い。A-SRS送信ルール設定情報は、RRCシグナリングによって、基地局１００から端末２００へ通知される。例えば、“Sounding RS-UL-Config”メッセージに含められて、A-SRS送信ルール設定情報は通知される。
【００７２】
ここで、A-SRSの使用により適した状況（例えば、上りリンクにおいて大容量のビデオデータを短期間にアップロードするような場合）においても、上りリンクデータに対するＴＣＰ−ＡＣＫ等が下りリンクにおいて発生する。このため、共通SRSリソースの配置周期（例えば１０ｍｓ）内に、上りリソース割当制御情報及び下りリソース割当制御情報の両方が基地局１００から端末２００へ送信される可能性が高い。上りリンクの送信データがある場合には、DCI format 0の上りリソース割当制御情報が送信され、下りリンクの送信データがある場合には、DCI format 1Aの下りリソース割当情報が送信される。例えば図１では、便宜上、上りリソース割当制御情報と下りリソース割当情報とが異なるサブフレームで送信されるように図示されているが、上りリソース割当制御情報と下りリソース割当情報とを同じサブフレームで送信することも可能である。
【００７３】
従って、基地局１００は、共通SRSリソースの配置周期（例えば１０ｍｓ）の期間内で、いずれかの割当制御情報（下りリソース割当制御情報又は上りリソース割当制御情報）にトリガ情報を含めて端末２００へ送信することにより、その送信タイミング以降で最初の共通SRSサブフレームにおいて、端末２００にA-SRSを送信させることができる。
【００７４】
端末２００において、送信制御部２０６は、A-SRS送信ルール設定情報と、トリガ情報が含まれていたＤＣＩのフォーマット識別情報とに基づいて、SRSマッピングリソースを特定する。A-SRS送信ルール設定情報は、基地局１００から予め通知され、基地局１００と端末２００との間で共有される。
【００７５】
さらに、送信制御部２０６は、基地局１００から端末２００へ通知された下りCSI報告の指示（要求）に基づいて、A-SRSの送信電力制御方法を特定する。
【００７６】
具体的には、複数の送受信ポイントに対する下りCSI報告を実施するよう通知されていない場合（単一の送受信ポイントに対する下りCSI報告のみ実施するよう通知された場合）には、送信制御部２０６は、式（１）に従った送信電力制御をそのまま適用する。
【００７７】
一方、複数の送受信ポイントに対する下りCSI報告を実施するよう通知された場合には、送信制御部２０６は、式（１）に従った送信電力制御に対して次式（４）に示すオフセット値を付与した送信電力制御方法を適用する。すなわち、この場合、送信制御部２０６は、式（１）に示すPO_PUSCHの代わりに、PO_PUSCHにオフセット値Pboostを付与したP'O_PUSCHを用いる。
【数４】
0005841148.tif 000005
【００７８】
このようにして、端末２００は、基地局１００から通知される下りCSI報告要求において複数のセルと端末２００との間の各下りCSIの報告が要求される場合、A-SRSを第１送信電力で送信し、下りCSI報告要求において単一のセルと端末２００との間の下りCSIの報告が要求される場合、A-SRSを第２送信電力で送信する。ここで、第１送信電力は、第２送信電力よりも大きい。ここでは、第１送信電力は、第２送信電力を所定値（図４に示すオフセット値Pboost）だけ増加させた電力である。また、第１送信電力は、少なくともA-SRSを、マクロセルをカバーするMacro eNBに送信するために設定された電力であり、第２送信電力は、A-SRSを、端末２００の所属するピコセルをカバーするLPNに送信するために設定された電力である。
【００７９】
以上のように本実施の形態によれば、基地局１００は、ピコセルに収容されている端末のうち、複数の送受信ポイントに対する下りCSI報告を実施するよう通知した端末２００（つまり移動制御の対象端末２００）に対してA-SRS送信をトリガする場合に、A-SRSの送信電力として基地局１００（マクロセル）の受信アンテナに到達する送信電力を設定できる。一方、基地局１００は、ピコセルに収容されている端末のうち、下りCSI報告を複数の送受信ポイントに対し実施するよう通知していない端末２００に対して、A-SRS送信をトリガする場合に、A-SRSの送信電力としてピコセルの受信アンテナに到達する送信電力を設定できる。
【００８０】
すなわち、基地局１００は、複数の送受信ポイントに対する下りCSI報告を実施するよう通知した端末２００であるか否かに応じて、A-SRSの送信電力を柔軟に設定することができる。また、端末２００は、自端末向けに通知された下りCSI報告の設定（configuration）に基づいて、自端末が複数の送受信ポイントに対する下りCSI報告実施するよう通知された端末であるか否かを判断して、A-SRSの送信電力を適切に制御することができる。
【００８１】
こうすることで、リファレンス信号送信のトリガ情報に用いるビット数の増加を抑えつつ、リファレンス信号送信における送信電力を柔軟に設定することができる。この結果、移動制御の対象端末２００から送信されるA-SRSは、マクロセルの受信アンテナまで到達する。また、移動制御の対象端末２００から送信されるA-SRSを少なくともマクロセルに到達させることができれば、当該マクロセル内に配置された他のピコセルにもA-SRSが到達していることが言える。これにより、マクロセル、または、端末が所属するピコセル以外の他のピコセルでは、距離減衰の差異に影響されることなく、チャネル品質を測定できるので、送受信ポイントの切替の遅延を抑え、確実に送受信ポイントを切り替えることができる。また、送受信ポイントの切替が遅延することによるスループット劣化を抑えることができる。
【００８２】
［実施の形態２］
実施の形態２は、下りCSI報告およびDCIのフォーマット識別情報に応じてA-SRSの送信電力制御方法が決定される。
【００８３】
本実施の形態に係る基地局１００及び端末２００の動作について説明する。ここでは、基地局１００が、上りリソース割当制御情報のフォーマットとしてDCI format 0を用いる一方、下りリソース割当制御情報のフォーマットとしてDCI format 1Aを用いる場合について説明する。
【００８４】
複数の送受信ポイントに対する下りCSI報告を実施するよう通知され、かつ、A-SRSのトリガ情報を含むDCIのフォーマット識別情報がDCI format 0を示す場合、送信制御部２０６は、式（１）に従った送信電力制御をそのまま適用する。
【００８５】
一方、複数の送受信ポイントに対する下りCSI報告を実施するよう通知され、かつ、A-SRSのトリガ情報を含むDCIのフォーマット識別情報がDCI format 1Aを示す場合、送信制御部２０６は、式（１）に従った送信電力制御に対して式（４）に示すオフセット値を付与した送信電力制御方法を適用する。
【００８６】
このようにして、端末２００は、基地局１００から通知される下りCSI報告要求において複数のセルと端末２００との間の各下りCSIの報告が要求され、かつ、DCI format 1A（下りリンク割当向けフォーマット）のDCIにA-SRSのトリガ情報が含まれる場合、所定値だけ増加させた送信電力（すなわち、A-SRSがマクロセルまで届く送信電力）でA-SRSを送信する。
【００８７】
すなわち、基地局１００は、ピコセルに収容されている端末のうち、複数の送受信ポイントに対する下りCSI報告を実施するよう通知した端末２００に対してA-SRS送信をトリガする場合に、A-SRSの送信電力として基地局１００（マクロセル）の受信アンテナに到達する送信電力を設定できる。つまり、基地局１００は、複数の送受信ポイントに対する下りCSI報告を実施するよう通知した端末２００に対して、A-SRSのトリガ情報を含める割当制御情報（DCI）のフォーマット（DCI format）を適切に選択する。また、複数の送受信ポイントに対する下りCSI報告を実施するよう通知された端末２００は、DCIのフォーマット識別情報がDCI format 1A（下りリンク割当向けフォーマット）である場合に、マクロセルの受信アンテナに到達するようにA-SRSの送信電力を制御する。
【００８８】
こうすることで、実施の形態１と同様、リファレンス信号送信のトリガ情報に用いるビット数の増加を抑えつつ、リファレンス信号送信における送信電力を柔軟に設定することができる。この結果、距離減衰の差異に影響されることなく、マクロセルでチャネル品質を測定できるので、送受信ポイントの切替の遅延を抑え、確実に送受信ポイントを切り替えることができる。また、送受信ポイントの切替が遅延することによるスループット劣化を抑えることができる。
【００８９】
さらに、本実施の形態によれば、下りデータ割当（例えば、DCI format 1A）の際にA-SRSの送信要求（トリガ情報）が含まれるか否かによってA-SRSの送信電力が決定される。これに対して、上りデータ割当（例えば、DCI format 0）の際、基地局１００は、ピコセルに収容された端末２００に対して、TPCコマンド等を用いて、ピコセルの受信アンテナに最適化した送信電力制御を行うことができる。すなわち、基地局１００は、端末２００に対して、当該端末２００が所属するピコセルにのみに上りデータ信号（PUSCH）が届くように送信電力を制限しつつ、マクロセルの受信アンテナまでA-SRSが届くように送信電力を大きくすることができる。つまり、本実施の形態によれば、上りデータ信号（PUSCH）とA-SRSとに対して個別に送信電力制御を適用することができる。
【００９０】
［実施の形態３］
本実施の形態では、実施の形態２の動作に加え、端末２００が所属するピコセルと通信しているか否かに応じてA-SRSの送信電力制御方法が決定される。
【００９１】
本実施の形態に係る基地局１００及び端末２００の動作について説明する。ここでは、基地局１００が、上りリソース割当制御情報のフォーマットとしてDCI format 0を用いる一方、下りリソース割当制御情報のフォーマットとしてDCI format 1Aを用いる場合について説明する。
【００９２】
複数の送受信ポイントに対する下りCSI報告を実施するよう通知され、かつ、DCIのフォーマット識別情報がDCI format 0を示す場合、送信制御部２０６は、さらに、端末２００がピコセルに収容されているか否かに応じて、A-SRSの送信電力制御方法を決定する。
【００９３】
例えば、式（１）および式（３）におけるf(i)の初期値f(0)は、f(0)＝ΔPrampup＋δmsg2で与えられる。δmsg2の値は、ランダムアクセス手順にて基地局１００と端末２００とで共有する情報である。基地局１００は、マクロセルに収容される端末２００に対して、ランダムアクセス手順においてδmsg2の値を大きくすることで、端末２００からの上り信号の送信電力を大きくする。一方、基地局１００は、ピコセルに収容される端末２００に対して、ランダムアクセス手順においてδmsg2の値を小さくすることで、端末２００からの上り信号の送信電力を小さく抑える。これにより、マクロセル内の他のピコセルに収容された他の端末に対して、端末２００が使用するリソースを再利用することが可能となる。
【００９４】
つまり、端末２００は、δmsg2の値が所定の閾値以下の場合には、自端末がマクロセルではなくピコセルに収容されていると判断することができる。
【００９５】
そこで、送信制御部２０６は、次式（５）に従ってA-SRSの送信電力制御を決定する。
【数５】
0005841148.tif 000006
【００９６】
すなわち、送信制御部２０６は、δmsg2の値が所定の閾値以下の場合（端末２００がピコセルに収容されていると判断する場合）、PO_PUSCHにオフセット値Pboostを付与したP'O_PUSCHを用いる。一方、送信制御部２０６は、δmsg2の値が所定の閾値より大きい場合（端末２００がピコセルに収容されていないと判断する場合）、PO_PUSCHをそのまま用いる。
【００９７】
このようにして、端末２００は、基地局１００から通知される下りCSI報告要求において複数のセルと端末２００との間の各下りCSIの報告が要求され、かつ、通常の送信電力（式（１）および式（３））の初期値を設定するためのパラメータ（δmsg2）が予め設定された閾値以下の場合、所定値だけ増加させた送信電力（すなわち、A-SRSがマクロセルまで届く送信電力）でA-SRSを送信する。
【００９８】
これにより、DCI format 1Aの割当制御情報にA-SRSのトリガ情報が含まれている際にA-SRSの送信電力を増加させる動作を、ピコセル（LPN）の周辺に存在する端末２００（ピコセルに収容されている端末２００）に限定することができる。すなわち、DCI format 1Aの割当制御情報にA-SRSのトリガ情報が含まれる場合でも、端末２００は、自端末がマクロセルに収容されていると判断すれば、式（１）と同様の送信電力制御を行う。これにより、DCI format 1Aの割当制御情報が使用される際、常にA-SRSが大きな送信電力で送信されることを防ぐことができ、マクロセルに与える干渉の発生頻度を低く抑えることができる。
【００９９】
また、実施の形態１と同様、リファレンス信号送信のトリガ情報に用いるビット数の増加を抑えつつ、リファレンス信号送信における送信電力を柔軟に設定することができる。この結果、距離減衰の差異に影響されることなく、マクロセルでチャネル品質を測定できるので、送受信ポイントの切替の遅延を抑え、確実に送受信ポイントを切り替えることができる。また、送受信ポイントの切替が遅延することによるスループット劣化を抑えることができる。
【０１００】
なお、本実施の形態では、式（５）に示すように、δmsg2の値が所定の閾値以下であるか否か、つまり、δmsg2の値を２段階に分けた場合について説明したが、これに限定されない。例えば、次式（６）は、δmsg2の値を４段階に分けた場合の例である。
【数６】
0005841148.tif 000007
【０１０１】
すなわち、式（６）では、δmsg2の値が小さくなるほど、送信電力の増加分をより大きくする。つまり、端末２００は、δmsg2の値に応じた送信電力の増加分（Pboost1〜Pboost3）を送信電力制御値に付加することで、マクロセルに向けたA-SRSの送信電力制御値を設定する。これにより、端末２００は、自端末がピコセルに収容されているか否かの状況のみならず、式（５）と比較して、マクロセル向けにどれくらいの送信電力が必要かをより細かく制御して、A-SRSを送信することが可能となる。
【０１０２】
また、本実施の形態では、端末２００がピコセルに収容されているか否か（ピコセルの周辺に存在するか否か）を、δmsg2の値に基づいて判断する場合について説明したが、これに限定されない。例えば、端末２００がピコセルに収容されているか否か（ピコセルの周辺に存在するか否か）を、ＰＨＲ（Power Headroom＝端末の送信電力余力の情報）に基づいて判断してもよい。例えば、ＰＨＲが所定値以上の場合、端末２００がピコセルに収容されている（ピコセルの周辺に存在する）と判断してもよい。
【０１０３】
［実施の形態４］
本実施の形態に係る基地局１００及び端末２００の動作について説明する。ここでは、基地局１００が、上りリソース割当制御情報のフォーマットとしてDCI format 0を用いる一方、下りリソース割当制御情報のフォーマットとしてDCI format 1Aを用いる場合について説明する。
【０１０４】
基地局１００は、共通SRSリソースの配置周期（例えば、１０ｍｓ）の期間内で、何れかの割当制御情報（下りリソース割当制御情報または上りリソース割当制御情報）にトリガ情報を含めて端末２００へ送信する。これにより、トリガ情報の送信タイミング以降で最初の共通SRSサブフレームにおいて、端末２００にA-SRSを送信させることができる。
【０１０５】
このとき、端末２００の送信制御部２０６は、複数の送受信ポイントに対する下りCSI報告を実施するよう通知され、A-SRSのトリガ情報を含むDCIのフォーマット識別情報がDCI format 0を示す場合、さらに、当該DCIに含まれる上りリソース割当制御情報に対応する上りリンク送信データの送信サブフレームが共通SRSサブフレームと同一であるか否かに応じて、A-SRSの送信電力制御方法を決定する。
【０１０６】
具体的には、トリガ情報を含むDCI（DCI format 0）に含まれる上りリソース割当制御情報に対応する上りリンク送信データの送信サブフレームと共通SRSサブフレームとが同一でない場合、送信制御部２０６は、DCI format 0のDCIに含まれるTPCコマンドに応じて、式（３）に従った送信電力制御を適用する。
【０１０７】
一方、トリガ情報を含むDCI（DCI format 0）に含まれる上りリソース割当制御情報に対応する上りリンク送信データの送信サブフレームと共通SRSサブフレームとが同一である場合、送信制御部２０６は、DCI format 0のDCIに含まれるTPCコマンドに応じて、式（３）に従った送信電力制御を適用するとともに、式（３）に従った送信電力制御に対して式（４）に示すオフセット値を付与した送信電力制御方法を適用する。
【０１０８】
例えば、図８において、共通SRSリソースの配置周期（１０ｍｓ）の期間内に、t_(n-6)およびt_(n-4)のサブフレームで上りリソース割当制御情報（DCI format 0）が送信されている。なお、図８において、t_(n-6)はt_nの６個前のサブフレームを表し、t_(n-4)は、t_nの４個前のサブフレームを表す。
【０１０９】
すなわち、図８では、t_(n-6)で送信された上りリソース割当制御情報（DCI）に対応する上りリンク送信データは、t_(n-6)から４サブフレーム後のt_(n-2)で送信される。同様に、t_(n-4)で送信された上りリソース割当制御情報（DCI）に対応する上りリンク送信データは、t_(n-4)から４サブフレーム後のt_nで送信される。つまり、t_(n-4)で送信された上りリソース割当制御情報（DCI）に対応する上りリンク送信データが送信されるサブフレームと、共通SRSサブフレームとは同一である。
【０１１０】
よって、図８では、t_(n-4)で送信された上りリソース割当制御情報（DCI）にA-SRSの送信をトリガするトリガ情報が含まれる場合、送信制御部２０６は、式（３）に示すPO_PUSCHの代わりに、PO_PUSCHにオフセット値Pboostを付与したP'O_PUSCHを用いる。一方、図８では、t_(n-6)で送信された上りリソース割当制御情報（DCI）にA-SRSの送信をトリガするトリガ情報が含まれる場合（図８に示す「それ以外」）、送信制御部２０６は、式（３）に示すPO_PUSCHをそのまま用いる。
【０１１１】
また、基地局１００は、ピコセルに収容された端末２００に対してピコセルの受信アンテナに到達するようA-SRS送信をトリガする場合、又は、マクロセルの受信アンテナに到達するようA-SRS送信をトリガする場合に、トリガ情報を含める上りリソース割当制御情報のタイミングを適切に選択する。
【０１１２】
こうすることによる効果を以下で説明する。
【０１１３】
ＴＰＣ制御における誤差(ターゲット送信電力に対する実際に端末が送信した送信電力の誤差、以下、TPC誤差と標記)の発生状況として、上り信号の送信時間間隔が長いとＴＰＣ誤差が大きくなる点が挙げられる。これは、時間が経過すると端末のパワーアンプ（PA）の温度が変化し、PAの増幅特性が時間の経過と伴に変わってしまうためである。このため、上り信号の送信時間間隔が長いほど、ＴＰＣ誤差が大きくなる。
【０１１４】
これに対して、本実施の形態では、端末２００は、トリガ情報を含むDCI（DCI format 0）に含まれる上りリソース割当制御情報に対応する上りリンク送信データの送信サブフレームが、共通SRSサブフレームと同一である場合に、A-SRSの送信電力を大きくして送信する。これにより、大きい送信電力で送信されるA-SRSが送信される直前には、上りリンク送信データが必ず存在する。よって、上りリンク送信データと、A-SRSとの送信時間間隔（つまり、PAがoffになる時間）は最小になるので、TPC誤差を小さくできる。
【０１１５】
こうすることで、本実施の形態によれば、リファレンス信号送信のトリガ情報に用いるビット数の増加を抑えつつ、マクロセルの受信アンテナに到達するよう送信する際にA-SRSに生じるTPC誤差を小さく抑えて、リファレンス信号送信に用いられる送信電力を柔軟に設定することができる。この結果、距離減衰の差異に影響されることなく、マクロセルでチャネル品質を測定できるので、送受信ポイントの切替の遅延を抑え、確実に送受信ポイントを切り替えることができる。また、送受信ポイントの切替が遅延することによるスループット劣化を抑えることができる。
【０１１６】
なお、本実施の形態では、A-SRSの送信電力を増加させる場合でもTPCコマンドの値をそのまま適用して、式（３）におけるf(i)の値を更新する場合について説明したが、これに限らない。例えば、f(i)の値を更新する際、TPCコマンドの値を読み替えてもよい。より詳細には、端末２００は、A-SRSのトリガ情報が含まれる上りリソース割当情報に対して、予め通知されたTPCコマンド［-1,0,+1,+3］を所定の整数Ｎ倍した［-N,0,+N,+3N］と読み替えて送信電力を設定してもよい。または、端末２００は、予め通知された制御値Lを用いて、TPCコマンドの最大値を［-1,0,+1,+L］と読み替えて送信電力を設定してもよい。これにより、本実施の形態と同様、上りデータ送信に用いる送信電力を大きく設定することができ、かつ、A-SRSと上りデータとの送信電力の差を小さくできるので、TPC誤差を小さく抑えることができる。
【０１１７】
また、同様に、A-SRSをトリガするDCIが送信されたサブフレームに応じて送信電力制御方法を区別する際、端末２００は、さらに、P-SRSの送信タイミングを考慮してもよい。具体的には、端末２００は、図９に示すように、P-SRSの送信タイミングと同一のタイミングに対応するA-SRSをトリガされた場合にのみ、上りリンク送信データに対して式（３）に従った送信電力制御を適用するとともに、A-SRSに対して式（４）に示すオフセット値を付与した送信電力制御を適用し、かつ、A-SRSに対してP-SRS用のリソースを使用してもよい。すなわち、端末２００は、周期的に送信されるP-SRSと、トリガ情報を受け取ったときにのみ送信されるA-SRSとが同一送信タイミングで送信される場合に、A-SRSをP-SRS用のリソースで、所定値だけ増加した送信電力で送信してもよい。つまり、端末２００は、P-SRSを上書きするA-SRSについてのみ送信電力を大きくしてもよい。ここで、P-SRS用のリソースは、マクロセル内で端末間の干渉が生じないように慎重に設計されるリソースである。よって、マクロセルの受信アンテナに到達するようなA-SRSが必要な状況、すなわち他のピコセルに及ぼす干渉を基地局側で予想しにくい状況において、P-SRS用のリソースを用いて、マクロセルの受信アンテナに到達する送信電力でA-SRSが送信されることで、基地局１００は、品質のよいチャネル品質測定が可能となる。
【０１１８】
［実施の形態５］
本実施の形態に係る基地局１００及び端末２００の動作について説明する。ここでは、基地局１００が、上りリソース割当制御情報のフォーマットとしてDCI format 0を用いる一方、下りリソース割当制御情報のフォーマットとしてDCI format 1Aを用いる場合について説明する。
【０１１９】
また、本実施の形態では、上りリソース割当情報には、下りCSI報告のトリガ情報（下りCSIの報告要求）が含まれる。なお、基地局１００は、上りリンク送信データの割当無しで、下りCSI報告のみを端末２００へ指示することも可能である。
【０１２０】
下りCSI報告のみを指示する具体的な方法について説明する。基地局１００は、端末２００に対してDCI format 0を用いて上りリソース割当制御情報を通知する際、CQI要求ビットを‘１’に設定し、変調方式および符号化率を示すフィールドにてIMCS＝２９に設定し、かつ、割当リソースブロック数NPRB≦４に設定することで、下りCSI報告のみを指示することができる。なお、CQI要求ビットを１に設定することは、下りCSIの報告を要求することを意味する。また、変調方式および符号化率を示すフィールIMCSを２９に設定することは、通常、再送データのうちRedundancy Version(RV) = 1としたリソース割当に対応し、割当リソースブロック数NPRBを４以下にすることは、通常、少ないデータの割当に用いられる。ただし、両者の組み合わせとCQI要求ビットを１に設定することとをあわせることで、上りデータを割り当てずに下りCSI報告のみを指示する動作となる。
【０１２１】
または、基地局１００は、端末２００に対してDCI format 4を用いて上りリソース割当制御情報を通知する際、CQI要求ビットを‘１’に設定し、単一のトランスポートブロック（TB：Transport Block）を使用し、使用するTBに対する変調方式および符号化率を示すフィールドにてIMCS＝２９に設定し、かつ、割当リソースブロック数NPRB≦４に設定することで、下りCSI報告のみを指示することができる。
【０１２２】
本実施の形態において、基地局１００は、共通SRSリソースの配置周期（例えば、１０ｍｓ）の期間内で、何れかの割当制御情報（下りリソース割当制御情報または上りリソース割当制御情報）にトリガ情報を含めて端末２００へ送信する。これにより、トリガ情報の送信タイミング以降で最初の共通SRSサブフレームにおいて、端末２００にA-SRSを送信させることができる。
【０１２３】
このとき、端末２００の送信制御部２０６は、複数の送受信ポイントに対する下りCSI報告を実施するよう通知され、かつ、DCIのフォーマット識別情報がDCI format 0を示す場合、さらに、当該DCIによって、上りリンク送信データの割当無しで、下りCSI報告のみ指示されているか否かに応じて、A-SRSの送信電力制御方法を決定する。
【０１２４】
具体的には、DCIによって、上りリンク送信データの割当無しで、下りCSI報告のみ指示されている場合に、当該DCIにA-SRSのトリガ情報が含まれていると、送信制御部２０６は、下りCSI報告に対して式（３）に従った送信電力制御を適用するとともに、A-SRSに対して、式（３）に従った送信電力制御に対して式（４）に示すオフセット値を付与した送信電力制御方法を適用する（図１０参照）。つまり、端末２００は、基地局１００から通知される下りCSI報告要求において複数のセルと端末２００との間の各下りCSIの報告が要求され、かつ、DCI format 0（上りリンク割当向けフォーマット）のDCIにA-SRSのトリガ情報および下りCSIの報告要求のみが含まれる場合、所定値だけ増加させた送信電力（すなわち、A-SRSがマクロセルまで届く送信電力）でA-SRSを送信する。
【０１２５】
例えば、DCIに、上りリンク送信データの割当および下りCSI方向の指示が含まれる場合、当該DCIに対応する上りデータ信号のデータサイズ（ビット数）は比較的大きくなる。このため、ビット数が比較的多い上りデータ信号と同一サブフレームでA-SRSを送信するには、A-SRS用のリソースを確保するために、データレートを低下させる等の処理が必要となる。
【０１２６】
これに対して、DCIに、上りリンク送信データの割当無しで、下りCSI方向の指示のみが含まれる場合、当該DCIに対応する上りデータ信号のデータサイズ（ビット数）は比較的小さくなる。このため、ビット数が比較的少ない上り信号（下りCSI）と同一サブフレームでA-SRSを送信する場合には、A-SRS用のリソースを確保しても、ビット数が比較的少ない上り信号に対するデータレートを大幅に低下させる等の処理が必要なくなる。よって、端末２００から基地局１００に対して上り信号およびA-SRSを再送無しで送ることができる可能性が高くなる。これにより、上りリンクのスループットを低減させることなく、基地局１００で精度良くチャネル品質測定が可能となる。また、基地局１００は、下りCSIの報告と、上りリンクのチャネル品質測定用のA-SRSの送信要求とを同一DCIに含ませることで、上りリンクおよび下りリンクのチャネル品質を同時に得ることができる。
【０１２７】
また、実施の形態１と同様、リファレンス信号送信のトリガ情報に用いるビット数の増加を抑えつつ、リファレンス信号送信における送信電力を柔軟に設定することができる。この結果、距離減衰の差異に影響されることなく、マクロセルでチャネル品質を測定できるので、送受信ポイントの切替の遅延を抑え、確実に送受信ポイントを切り替えることができる。また、送受信ポイントの切替が遅延することによるスループット劣化を抑えることができる。
【０１２８】
なお、本実施の形態において、上りリンクでマクロセルの受信アンテナに到達するか否かを考慮してA-SRS（つまり、上りリンクのチャネル品質測定用信号）が送信されるのと同様に、下りリンクでも、端末２００においてマクロセルに関連付けられたリソースのみに限定したチャネル品質測定を行い、当該リソースについて下りCSI報告を行ってもよい。これにより、上りリンクのみでなく下りリンクの送受信ポイントの切替の遅延を抑え、スループット劣化を抑えることができる。
【０１２９】
［他の実施の形態］
（１）上記各実施の形態において、SRSリソースを規定するパラメータには、cyclic shift、comb、RB数(または帯域幅)、RB位置（または周波数上のSRS帯域開始位置）、周波数ホッピングパタン、アンテナ数などが含まれる。ここで、Combとは、シングルキャリア信号を繰り返し送信することにより生じる周波数軸上で櫛の歯状の送信波形（例えば、偶数サブキャリアのみを信号成分に持つような波形）をした、信号における信号パタンのことを示す。例えば、シングルキャリア信号を２回繰り返し送信する場合には、２サブキャリア置きの波形となるため、Comb番号０は、偶数番目のサブキャリアを示し、Comb番号１は、奇数番目のサブキャリアを示す。また、Combは繰り返し数と呼ばれることもある。P-SRSは「Type0 SRS」と呼ばれ、A-SRSは「Type1 SRS」と呼ばれることもある。
【０１３０】
（２）上記各実施の形態において、SRS resource configurationの基本構成パラメータとして、帯域開始位置、帯域幅、Cyclic shift、Comb番号としたが、これに限定されるものではなく、これら以外のパラメータを、SRSリソースの基本構成パラメータに含めても良い。
【０１３１】
（３）上記各実施の形態では、端末２００がA-SRSを共通SRSサブフレームで送信するようにしたが、これに限定されるものではなく、A-SRSを個別SRSサブフレームで送信するようにしても良い。
【０１３２】
（４）また、上りリンクおよび下りリンクのDCI formatとして、DCI format 0,1A以外の他のDCI formatが用いられても、上記各実施の形態と同様の効果が得られる。
【０１３３】
（５）端末２００から送信されるSRSは、基地局１００による伝搬路状態の推定、上りリンクのMCS設定、周波数スケジューリング、各アンテナのウェイト（指向性）制御に用いられる以外に、下りリンクのアンテナのウェイト（またはプリコーディング）制御などに用いられてもよい。この場合、異なるＤＣＩ  ｆｏｒｍａｔに対して、上りリンクのMCS設定、周波数スケジューリング、及びアンテナウェイト制御のためのSRSリソースと、下りリンクのアンテナウェイト制御向けのSRSリソースとを設定することにより、通知ビットを増やさずにそれぞれの用途に応じたA-SRSをトリガするとこができる。
【０１３４】
（６）上記各実施の形態ではアンテナとして説明したが、本発明はアンテナポート（antenna port）でも同様に適用できる。
【０１３５】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１３６】
例えば3GPP LTEにおいては、アンテナポートが何本の物理アンテナから構成されるかは規定されず、基地局が異なる参照信号（Reference signal）を送信できる最小単位として規定されている。
【０１３７】
また、アンテナポートはプリコーディングベクトル（Precoding vector）の重み付けを乗算する最小単位として規定されることもある。
【０１３８】
（７）上記各実施の形態では、本発明をハードウェアで構成する場合を例にとって説明したが、本発明はハードウェアとの連携においてソフトウェアでも実現することも可能である。
【０１３９】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１４１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４２】
２０１１年６月２９日出願の特願２０１１−１４４１１１の日本出願に含まれる明細書、図面および要約書の開示内容は、すべて本願に援用される。
【産業上の利用可能性】
【０１４３】
本発明は、リファレンスシグナルの送信要求に用いるビット数の増加を抑えつつ、リファレンスシグナル送信に用いられる送信電力を柔軟に設定することができるものとして有用である。
【符号の説明】
【０１４４】
１００  基地局
１０１  設定部
１０２，１０３  符号化・変調部
１０４  送信処理部
１０５，２０８  送信ＲＦ部
１０６，２０１  アンテナ
１０７，２０２  受信ＲＦ部
１０８，２０３  受信処理部
１０９  データ受信部
１１０  ＳＲＳ受信部
２００  端末
２０４  リファレンス信号生成部
２０５  データ信号生成部
２０６  送信制御部
２０７  送信信号形成部
【図１】
0005841148.tif 000008
【図２】
0005841148.tif 000009
【図３】
0005841148.tif 000010
【図４】
0005841148.tif 000011
【図５】
0005841148.tif 000012
【図６】
0005841148.tif 000013
【図７】
0005841148.tif 000014
【図８】
0005841148.tif 000015
【図９】
0005841148.tif 000016
【図１０】
0005841148.tif 000017